【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
特殊景品を受け入れる受入手段と、
受け入れられた前記特殊景品の種類を識別し、識別した特殊景品数を計数して景品情報を読み取る景品読取手段と、
少なくとも計算要素の１つである特殊景品の種類毎に決められた変更可能な買取価格を読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格を表示する買取価格表示手段と
を具備することを特徴とする物品買取装置。
【請求項２】
特殊景品の種類毎に特殊景品数を受け付ける特殊景品数受付手段と、
少なくとも計算要素の１つである特殊景品の種類毎に決められた変更可能な買取価格を読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格情報を表示する買取価格表示手段と
を具備することを特徴とする物品買取装置。
【請求項３】
前記買取価格算出手段によって算出された実買取価格に対応する現金を支払う現金支払手段をさらに具備したことを特徴とする請求項１または２記載の物品買取装置。
【請求項４】
前記現金支払手段が第１の筐体に設けられ、前記受入手段および前記景品読取手段とが前記第１の筐体とは別体で前記第１の筐体と通信可能に接続された第２の筐体に設けられたことを特徴とする請求項３記載の物品買取装置。
【請求項５】
特殊景品を受け入れる受入ステップと、
前記受け入れられた特殊景品の種類を識別し、識別した特殊景品数を計数して景品情報を読み取る景品読取ステップと、
少なくとも計算要素の１つである特殊景品の種類毎に決められた変更可能な買取価格を読み出す計算要素読出ステップと、
少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、
少なくとも前記買取価格算出ステップによって算出された実買取価格情報を表示する買取価格表示ステップと
を具備することを特徴とする物品買取方法。
【請求項６】
特殊景品の種類毎に特殊景品数を受け付ける特殊景品数受付ステップと、
少なくとも計算要素の１つである特殊景品の種類毎に決められた変更可能な買取価格を読み出す計算要素読出ステップと、
少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、
少なくとも前記買取価格算出ステップによって算出された実買取価格情報を表示する買取価格表示ステップと
を具備することを特徴とする物品買取方法。
【請求項７】
前記買取価格算出ステップによって算出された実買取価格に対応する現金を支払う現金支払ステップをさらに具備したことを特徴とする請求項５または６記載の物品買取方法。
【請求項８】
特殊景品を受け入れる受入手段と、
受け入れられた前記特殊景品の種類を識別し、識別した特殊景品数を計数して景品情報を読み取る景品読取手段と、
少なくとも計算要素の１つである特殊景品の種類毎に決められた変更可能な買取価格を読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格を表示する買取価格表示手段と、
前記実買取価格および前記計算要素のうち少なくとも１つを集計する集計手段と、
前記買取価格算出手段によって算出された実買取価格に対応する現金を支払う現金支払手段と
を備える物品買取装置と、
情報管理装置と
を具備し、前記物品買取装置と前記情報管理装置とがそれぞれ通信可能に接続された物品買取システムであって、
前記情報管理装置が、
前記集計手段で集計された情報を管理する情報管理手段を具備することを特徴とする物品買取システム。
【手続補正２】
【補正対象書類名】明細書
【補正対象項目名】００１４
【補正方法】変更
【補正の内容】
【００１４】
また、請求項５記載の発明は、特殊景品を受け入れる受入ステップと、前記受け入れられた特殊景品の種類を識別し、識別した特殊景品数を計数して景品情報を読み取る景品読取ステップと、少なくとも計算要素の１つである特殊景品の種類毎に決められた変更可能な買取価格を読み出す計算要素読出ステップと、少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、少なくとも前記買取価格算出ステップによって算出された実買取価格情報を表示する買取価格表示ステップとを具備することを特徴とする物品買取方法である。
【手続補正３】
【補正対象書類名】明細書
【補正対象項目名】００１７
【補正方法】変更
【補正の内容】
【００１７】
また、請求項６記載の発明は、特殊景品の種類毎に特殊景品数を受け付ける特殊景品数受付ステップと、少なくとも計算要素の１つである特殊景品の種類毎に決められた変更可能な買取価格を読み出す計算要素読出ステップと、少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、少なくとも前記買取価格算出ステップによって算出された実買取価格情報を表示する買取価格表示ステップとを具備することを特徴とする物品買取方法である。
【手続補正４】
【補正対象書類名】明細書
【補正対象項目名】００１８
【補正方法】変更
【補正の内容】
【００１８】
これら請求項１、２、５および６記載の発明によれば、買取価格を任意に設定することができるので、例えば、その買取価格を消費税や手数料等を含んだ価格に設定することができる。また、その買取価格を任意に設定することができるので、例えば、県毎の警察指導事情、替場毎の異なる事情、将来の消費税率や消費税制の変更、将来の地方権限委譲に伴う地方毎の消費税率の変動に適合させて使用することができる。また、特殊景品を受け入れてから、設定された買取価格等に基づいて実買取価格を算出し、その実買取価格を表記することを自動的に行うことができるので、例えば、物品を買い取る替場において、人為的な作業を減らすことができ、替場における作業を効率よく迅速に行うことができる。
【手続補正５】
【補正対象書類名】明細書
【補正対象項目名】００２１
【補正方法】変更
【補正の内容】
【００２１】
また、請求項７記載の発明は、前記買取価格算出ステップによって算出された実買取価格に対応する現金を支払う現金支払ステップをさらに具備したことを特徴とする請求項５または６記載の物品買取方法である。
【手続補正６】
【補正対象書類名】明細書
【補正対象項目名】００２２
【補正方法】変更
【補正の内容】
【００２２】
これら請求項３、７記載の発明によれば、請求項１、２、５および６記載の発明の作用効果に加えて、この現金支払手段または現金支払ステップを具備することで、現金の支払まで自動的に行うことができるので、例えば、物品を買い取る替場において、人為的な作業を減らすことができ、替場における作業をさらに効率よく迅速に行うことができる。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】削除
【補正の内容】
【手続補正３３】
【補正対象書類名】明細書
【補正対象項目名】００４９
【補正方法】削除
【補正の内容】
【手続補正３４】
【補正対象書類名】明細書
【補正対象項目名】００５０
【補正方法】削除
【補正の内容】
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】削除
【補正の内容】
【手続補正３８】
【補正対象書類名】明細書
【補正対象項目名】００５４
【補正方法】削除
【補正の内容】
【手続補正３９】
【補正対象書類名】明細書
【補正対象項目名】００５５
【補正方法】削除
【補正の内容】
【手続補正４０】
【補正対象書類名】明細書
【補正対象項目名】００５６
【補正方法】削除
【補正の内容】
【手続補正４１】
【補正対象書類名】明細書
【補正対象項目名】００５７
【補正方法】削除
【補正の内容】
【手続補正４２】
【補正対象書類名】明細書
【補正対象項目名】００５８
【補正方法】変更
【補正の内容】
【００５８】
また、請求項４記載の発明は、前記現金支払手段が第１の筐体に設けられ、前記受入手段および前記景品読取手段とが前記第１の筐体とは別体で前記第１の筐体と通信可能に接続された第２の筐体に設けられたことを特徴とする請求項３記載の物品買取装置である。
【手続補正４３】
【補正対象書類名】明細書
【補正対象項目名】００６０
【補正方法】変更
【補正の内容】
【００６０】
また、請求項８記載の発明は、特殊景品を受け入れる受入手段と、受け入れられた前記特殊景品の種類を識別し、識別した特殊景品数を計数して景品情報を読み取る景品読取手段と、少なくとも計算要素の１つである特殊景品の種類毎に決められた変更可能な買取価格を読み出す計算要素読出手段と、少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、少なくとも前記買取価格算出手段によって算出された実買取価格を表示する買取価格表示手段と、前記実買取価格および前記計算要素のうち少なくとも１つを集計する集計手段と、前記買取価格算出手段によって算出された実買取価格に対応する現金を支払う現金支払手段とを備える物品買取装置と、情報管理装置とを具備し、前記物品買取装置と前記情報管理装置とがそれぞれ通信可能に接続された物品買取システムであって、前記情報管理装置が、前記集計手段で集計された情報を管理する情報管理手段を具備することを特徴とする物品買取システムである。
【手続補正４４】
【補正対象書類名】明細書
【補正対象項目名】００６１
【補正方法】削除
【補正の内容】
【手続補正４５】
【補正対象書類名】明細書
【補正対象項目名】００６２
【補正方法】変更
【補正の内容】
【００６２】
請求項８記載の発明によれば、買取価格が変更可能であるので、例えば、その買取価格を消費税や手数料等を含んだ価格に設定することができる。また、その買取価格を任意に設定することができるので、また、その買取価格を任意に設定することができるので、例えば、県毎の警察指導事情、替場毎の異なる事情、将来の消費税率や消費税制の変更、将来の地方権限委譲に伴う地方毎の消費税率の変動に適合させて使用することができる。また、特殊景品を受け入れてから、設定された買取価格等に基づいて実買取価格を算出し、その実買取価格を表記することを自動的に行うことができるので、例えば、物品を買い取る替場において、人為的な作業を減らすことができ、替場における作業を効率よく迅速に行うことができる。
【手続補正４６】
【補正対象書類名】明細書
【補正対象項目名】００６４
【補正方法】削除
【補正の内容】
【手続補正４７】
【補正対象書類名】明細書
【補正対象項目名】００６５
【補正方法】削除
【補正の内容】
【手続補正４８】
【補正対象書類名】明細書
【補正対象項目名】００６６
【補正方法】削除
【補正の内容】
【手続補正４９】
【補正対象書類名】明細書
【補正対象項目名】００６７
【補正方法】削除
【補正の内容】
【手続補正５０】
【補正対象書類名】明細書
【補正対象項目名】００６８
【補正方法】削除
【補正の内容】